Podtech/llm-jp-corpus-v4-ja_patent huggingface dataset:
【手続補正書】
【提出日】令和2年12月9日(2020.12.9)
【手続補正１】
【補正対象書類名】特許請求の範囲
【補正対象項目名】全文
【補正方法】変更
【補正の内容】
【特許請求の範囲】
【請求項１】
式（Ｉ）：
【化１】
2020512306.tif 000001
［式中、Ｒ１は、Ｃ１〜Ｃ８アルキル、Ｃ１〜Ｃ８アルケニル、またはＣ１〜Ｃ８アルコキシアルキルを表し、Ｒ２は水素またはＣ１〜Ｃ３アルキルを表し、Ｒ３は、Ｃ１〜Ｃ８アルキル、Ｃ１〜Ｃ８ヒドロキシアルキル、Ｃ１〜Ｃ８アルケニル、Ｃ１〜Ｃ８アルコキシアルキル、アセトキシＣ１〜Ｃ３アルキル、またはＣ７〜Ｃ１５アリールアルキルを表し、Ｒ４は水素またはＣ１〜４アルキルを表し、かつＲ５は水素またはＣ１〜４アルキルを表す］
のカチオン性化合物を含む組成物。
【請求項２】
以下の構造：
【化２】
2020512306.tif 000002
を有するアニオン性化合物をさらに含む、請求項１に記載の組成物。
【請求項３】
Ｒ４およびＲ５のうちの少なくとも一方がＣ１〜４アルキルである、請求項１〜２のいずれか一項に記載の組成物。
【請求項４】
アクリルポリマーをさらに含む、請求項１〜３のいずれか一項に記載の組成物。
【請求項５】
Ｒ４が水素を表し、かつＲ５がＣ１〜４アルキルを表す、請求項１〜４のいずれか一項に記載の組成物。
【請求項６】
Ｒ４がＣ１〜４アルキルを表し、かつＲ５が水素を表す、請求項１〜４のいずれか一項に記載の組成物。
【請求項７】
Ｒ１が、−ＣＨ３、−ＣＨ２−ＣＨ３、または−ＣＨ（ＣＨ３）２を表す、請求項１または請求項２に記載の組成物。
【請求項８】
Ｒ２が、−Ｈ、−ＣＨ３、または−ＣＨ２−ＣＨ３を表す、請求項１、２または７のいずれか一項に記載の組成物。
【請求項９】
Ｒ３が−ＣＨ３または−ＣＨ２−ＣＨ３を表す、請求項１、２、７または８のいずれか一項に記載の組成物。
【請求項１０】
Ｒ４が−ＣＨ３を表し、かつＲ５が水素を表す、請求項１、２、７、８または９のいずれか一項に記載の組成物。
【請求項１１】
Ｒ４が水素を表し、かつＲ５が−ＣＨ３を表す、請求項１、２，７、８または９のいずれか一項に記載の組成物。
【請求項１２】
第１基材、第２基材、および第１基材と第２基材の間に配置された請求項１〜１１のいずれか一項に記載の組成物を含み、第１基材と第２基材とが前記組成物によって貼り合わされる装置。
【請求項１３】
前記第１基材が導電性表面を含み、前記第２基材が導電性表面を含み、前記組成物が導電性表面と接触して配置される、請求項１２に記載の装置。
【請求項１４】
請求項１〜１１のいずれか一項に記載の組成物を使って第１基材を第２基材に貼着することを含む方法。
【請求項１５】
前記第１基材と前記第２基材の間に電位を印加することおよび前記第１基材を前記第２基材から分離することをさらに含む、請求項１４に記載の方法。
【手続補正２】
【補正対象書類名】明細書
【補正対象項目名】００２５
【補正方法】変更
【補正の内容】
【００２５】
さらに、式（Ｉ）のカチオン性化合物には、他のバリエーションも考えられる。例えば一形態において、Ｒ１は、−Ｈ、−ＣＨ３、−ＣＨ２−ＣＨ３、−ＣＨ（ＣＨ３）２、および−ＣＨ２−Ｏ−ＣＨ３から選択することができ、Ｒ２は、−Ｈ、−ＣＨ３、および−ＣＨ２−ＣＨ３から選択することができ、Ｒ３は、−Ｈ、−ＣＨ３、−ＣＨ２−ＣＨ３、−ＣＨ（ＣＨ３）２、−ＣＨ２−Ｏ−ＣＨ３、−ＣＨ２−ＣＨ２−ＯＨ、−ＣＨ２−ＣＨ２−Ｏ−ＣＨ３、
【化８】
2020512306.tif 000003
、または
【化９】
2020512306.tif 000004
から選択することができ、Ｒ４は、−Ｈ、−ＣＨ３、または−ＣＨ２−ＣＨ３から選択することができ、かつ／またはＲ５は、−Ｈ、−ＣＨ３、および／または−ＣＨ２−ＣＨ３から選択することができる。もう一つの例として、別の一形態において、Ｒ１は、−ＣＨ３、−ＣＨ２−ＣＨ３、−ＣＨ（ＣＨ３）２、および−ＣＨ２−Ｏ−ＣＨ３から選択することができ、Ｒ２は、−Ｈ、−ＣＨ３、および−ＣＨ２−ＣＨ３から選択することができ、Ｒ３は、−ＣＨ３、−ＣＨ２−ＣＨ３、−ＣＨ２−Ｏ−ＣＨ３、−ＣＨ２−ＣＨ２−Ｏ−ＣＨ３、または
【化１０】
2020512306.tif 000005
から選択することができ、Ｒ４は−Ｈまたは−ＣＨ３から選択することができ、かつ／またはＲ５は−Ｈまたは−ＣＨ３から選択することができる。さらにもう一つの例として、別の一形態において、Ｒ１は、−ＣＨ３、−ＣＨ２−ＣＨ３、および−ＣＨ（ＣＨ３）２から選択することができ、Ｒ２は、−Ｈ、−ＣＨ３、および−ＣＨ２−ＣＨ３から選択することができ、Ｒ３は、−ＣＨ３および−ＣＨ２−ＣＨ３から選択することができ、Ｒ４は、−Ｈまたは−ＣＨ３から選択することができ、かつ／またはＲ５は−Ｈまたは−ＣＨ３から選択することができる。
【手続補正書】
【提出日】令和3年3月25日(2021.3.25)
【手続補正１】
【補正対象書類名】特許請求の範囲
【補正対象項目名】全文
【補正方法】変更
【補正の内容】
【特許請求の範囲】
【請求項１】
青色光に対する暴露に際しての損傷からヒト皮膚を保護するための方法であって、有効量のビタミンＢ３又はその誘導体及び有効量のビタミンＢ６又はその誘導体を含有する化粧品組成物を前記皮膚に塗布するステップを含む方法。
【請求項２】
前記ビタミンＢ３又はその誘導体は、ナイアシンアミドであり、前記ビタミンＢ６又はその誘導体は、塩酸ピリドキシンである、請求項１に記載の方法。
【請求項３】
前記ビタミンＢ３又はその誘導体の有効量は、前記組成物の総重量に基づいて、０．５〜１０重量％の範囲で選択される、請求項１又は２に記載の方法。
【請求項４】
前記ビタミンＢ６又はその誘導体の有効量は、前記組成物の総重量に基づいて、０．０２〜６重量％の範囲で選択される、請求項１〜３のいずれか一項に記載の方法。
【請求項５】
ナイアシンアミドの量は、塩酸ピリドキシンの量よりも多い、請求項１〜４のいずれか一項に記載の方法。
【請求項６】
前記損傷は、活性酸素種、活性窒素種、及び／又は活性カルボニル種の生成の結果である、請求項１〜５のいずれか一項に記載の方法。
【請求項７】
前記組成物は、少なくとも１つのＵＶフィルタ物質をさらに含む、請求項１〜６のいずれか一項に記載の方法。
【請求項８】
前記少なくとも１つのＵＶフィルタ物質は、ポリシリコーン−１５、フェニルベンズイミダゾールスルホン酸、オクトクリレン、メトキシケイ皮酸エチルヘキシル、サリチル酸エチルヘキシル、ホモサレート、ビス−エチルヘキシロキシフェノールメトキシフェニルトリアジン、メチレンビス−ベンゾトリアゾリルテトラメチルブチルフェノール、二酸化チタン、ブチルメトキシジベンゾイルメタン、ジエチルアミノヒドロキシベンゾイル安息香酸ヘキシル、ジナトリウムフェニルジベンズイミダゾールテトラスルフォナート、及びその混合物からなる群から選択される、請求項７に記載の方法。
【請求項９】
前記組成物は、スキンケア組成物である、請求項１〜８のいずれか一項に記載の方法。
【請求項１０】
前記組成物は、Ｏ／Ｗ乳化剤の存在下において水性相中に分散した油性相を含むＯ／Ｗエマルションの形態をしている、請求項１〜９のいずれか一項に記載の方法。
【請求項１１】
前記Ｏ／Ｗ乳化剤は、セチルリン酸カリウムである、請求項１０に記載の方法。
【請求項１２】
青色光に暴露された場合のヒトにおける活性酸素種の生成及び／又はカルボニル化タンパク質の形成を低下させるための方法であって、有効量のナイアシンアミド及び塩酸ピリドキシンを含有する化粧品組成物を皮膚に塗布するステップを含む方法。
【請求項１３】
前記化粧品組成物の総重量に基づいて、前記化粧品組成物中の前記ナイアシンアミドの有効量は、０．５〜１０重量％の範囲で選択され、塩酸ピリドキシンの量は、０．０２〜６重量％の範囲で選択される、請求項１〜１２のいずれか一項に記載の方法。
【請求項１４】
電磁放射の副作用からのヒト皮膚の保護において使用するためのナイアシンアミド及び塩酸ピリドキシンの組み合わせ。
【請求項１５】
前記副作用は、活性酸素種の形成及び／又は光誘発性の酸化ストレスである、請求項１４に記載の使用。
【手続補正書】
【提出日】令和3年3月19日(2021.3.19)
【手続補正１】
【補正対象書類名】特許請求の範囲
【補正対象項目名】全文
【補正方法】変更
【補正の内容】
【特許請求の範囲】
【請求項１】
強皮症、掌蹠膿疱症、汎発性膿疱性乾癬、糖尿病性腎症、ループス腎炎、強直性脊椎炎、又はＩＢＤの処置のための、抗ＩＬ−３６Ｒ抗体を含む医薬組成物であって、ＴＮＦ阻害剤、循環受容体融合タンパク質、インテグリン阻害剤、又はＩＬ−２３阻害剤と組み合わせて使用される、医薬組成物。
【請求項２】
ＴＮＦ阻害剤がインフリキシマブ、アダリムマブ、セルトリズマブペゴルを含み、循環受容体融合タンパク質がエタネルセプトを含み、インテグリン阻害剤がベドリズマブを含む、請求項１記載の医薬組成物。
【請求項３】
抗ＩＬ−３６Ｒ抗体が：ａ）配列番号２６のアミノ酸配列（Ｌ−ＣＤＲ１）；配列番号３５、１０２、１０３、１０４、１０５、１０６、又は１４０のアミノ酸配列（Ｌ−ＣＤＲ２）；配列番号４４のアミノ酸配列（Ｌ−ＣＤＲ３）を含む軽鎖可変領域；及びｂ）配列番号５３のアミノ酸配列（Ｈ−ＣＤＲ１）；配列番号６２、１０８、１０９、１１０、又は１１１のアミノ酸配列（Ｈ−ＣＤＲ２）；配列番号７２のアミノ酸配列（Ｈ−ＣＤＲ３）を含む重鎖可変領域を含む、請求項１又は２記載の医薬組成物。
【請求項４】
抗ＩＬ−３６Ｒ抗体が以下を含む、請求項１〜３のいずれか一項記載の医薬組成物：
Ｉ．
ａ）配列番号２６のアミノ酸配列（Ｌ−ＣＤＲ１）；配列番号１０２のアミノ酸配列（Ｌ−ＣＤＲ２）；配列番号４４のアミノ酸配列（Ｌ−ＣＤＲ３）を含む軽鎖可変領域；及びｂ）配列番号５３のアミノ酸配列（Ｈ−ＣＤＲ１）；配列番号６２、１０８、１０９、１１０、又は１１１のアミノ酸配列（Ｈ−ＣＤＲ２）；配列番号７２のアミノ酸配列（Ｈ−ＣＤＲ３）を含む重鎖可変領域。
ＩＩ．
ａ）配列番号２６のアミノ酸配列（Ｌ−ＣＤＲ１）；配列番号１０３のアミノ酸配列（Ｌ−ＣＤＲ２）；配列番号４４のアミノ酸配列（Ｌ−ＣＤＲ３）を含む軽鎖可変領域；及びｂ）配列番号５３のアミノ酸配列（Ｈ−ＣＤＲ１）；配列番号６２、１０８、１０９、１１０、又は１１１のアミノ酸配列（Ｈ−ＣＤＲ２）；配列番号７２のアミノ酸配列（Ｈ−ＣＤＲ３）を含む重鎖可変領域。
ＩＩＩ．
ａ）配列番号２６のアミノ酸配列（Ｌ−ＣＤＲ１）；配列番号１０４のアミノ酸配列（Ｌ−ＣＤＲ２）；配列番号４４のアミノ酸配列（Ｌ−ＣＤＲ３）を含む軽鎖可変領域；及びｂ）配列番号５３のアミノ酸配列（Ｈ−ＣＤＲ１）；配列番号６２、１０８、１０９、１１０、又は１１１のアミノ酸配列（Ｈ−ＣＤＲ２）；配列番号７２のアミノ酸配列（Ｈ−ＣＤＲ３）を含む重鎖可変領域。
ＩＶ．
ａ）配列番号２６のアミノ酸配列（Ｌ−ＣＤＲ１）；配列番号１０５のアミノ酸配列（Ｌ−ＣＤＲ２）；配列番号４４のアミノ酸配列（Ｌ−ＣＤＲ３）を含む軽鎖可変領域；及びｂ）配列番号５３のアミノ酸配列（Ｈ−ＣＤＲ１）；配列番号６２、１０８、１０９、１１０、又は１１１のアミノ酸配列（Ｈ−ＣＤＲ２）；配列番号７２のアミノ酸配列（Ｈ−ＣＤＲ３）を含む重鎖可変領域。
Ｖ．
ａ）配列番号２６のアミノ酸配列（Ｌ−ＣＤＲ１）；配列番号１０６のアミノ酸配列（Ｌ−ＣＤＲ２）；配列番号４４のアミノ酸配列（Ｌ−ＣＤＲ３）を含む軽鎖可変領域；及びｂ）配列番号５３のアミノ酸配列（Ｈ−ＣＤＲ１）；配列番号６２、１０８、１０９、１１０、又は１１１のアミノ酸配列（Ｈ−ＣＤＲ２）；配列番号７２のアミノ酸配列（Ｈ−ＣＤＲ３）を含む重鎖可変領域。
ＶＩ．
ａ）配列番号２６のアミノ酸配列（Ｌ−ＣＤＲ１）；配列番号１４０のアミノ酸配列（Ｌ−ＣＤＲ２）；配列番号４４のアミノ酸配列（Ｌ−ＣＤＲ３）を含む軽鎖可変領域；及びｂ）配列番号５３のアミノ酸配列（Ｈ−ＣＤＲ１）；配列番号６２、１０８、１０９、１１０、又は１１１のアミノ酸配列（Ｈ−ＣＤＲ２）；配列番号７２のアミノ酸配列（Ｈ−ＣＤＲ３）を含む重鎖可変領域。
【請求項５】
抗ＩＬ−３６Ｒ抗体が以下を含む、請求項１〜４のいずれか一項記載の医薬組成物：
（ｉ）配列番号７７のアミノ酸配列を含む軽鎖可変領域；及び配列番号８７のアミノ酸配列を含む重鎖可変領域；又は
（ｉｉ）配列番号７７のアミノ酸配列を含む軽鎖可変領域；及び配列番号８８のアミノ酸配列を含む重鎖可変領域；又は
（ｉｉｉ）配列番号７７のアミノ酸配列を含む軽鎖可変領域；及び配列番号８９のアミノ酸配列を含む重鎖可変領域；又は
（ｉｖ）配列番号８０のアミノ酸配列を含む軽鎖可変領域；及び配列番号８７のアミノ酸配列を含む重鎖可変領域；又は
（ｖ）配列番号８０のアミノ酸配列を含む軽鎖可変領域；及び配列番号８８のアミノ酸配列を含む重鎖可変領域；又は
（ｖｉ）配列番号８０のアミノ酸配列を含む軽鎖可変領域；及び配列番号８９のアミノ酸配列を含む重鎖可変領域；又は
（ｖｉｉ）配列番号８５のアミノ酸配列を含む軽鎖可変領域；及び配列番号１００のアミノ酸配列を含む重鎖可変領域；又は
（ｖｉｉｉ）配列番号８５のアミノ酸配列を含む軽鎖可変領域；及び配列番号１０１のアミノ酸配列を含む重鎖可変領域；又は
（ｉｘ）配列番号８６のアミノ酸配列を含む軽鎖可変領域；及び配列番号１００のアミノ酸配列を含む重鎖可変領域；又は
（ｘ）配列番号８６のアミノ酸配列を含む軽鎖可変領域；及び配列番号１０１のアミノ酸配列を含む重鎖可変領域。
【請求項６】
抗ＩＬ−３６Ｒ抗体が以下を含む、請求項１〜５のいずれか一項記載の医薬組成物：
ｉ．配列番号１１５のアミノ酸配列を含む軽鎖；及び配列番号１２５のアミノ酸配列を含む重鎖；又は
ｉｉ．配列番号１１５のアミノ酸配列を含む軽鎖；及び配列番号１２６のアミノ酸配列を含む重鎖；又は
ｉｉｉ．配列番号１１５のアミノ酸配列を含む軽鎖；及び配列番号１２７のアミノ酸配列を含む重鎖；又は
ｉｖ．配列番号１１８のアミノ酸配列を含む軽鎖；及び配列番号１２５のアミノ酸配列を含む重鎖；又は
ｖ．配列番号１１８のアミノ酸配列を含む軽鎖；及び配列番号１２６のアミノ酸配列を含む重鎖；又は
ｖｉ．配列番号１１８のアミノ酸配列を含む軽鎖；及び配列番号１２７のアミノ酸配列を含む重鎖；又は
ｖｉｉ．配列番号１２３のアミノ酸配列を含む軽鎖；及び配列番号１３８のアミノ酸配列を含む重鎖；又は
ｖｉｉｉ．配列番号１２３のアミノ酸配列を含む軽鎖；及び配列番号１３９のアミノ酸配列を含む重鎖；又は
ｉｘ．配列番号１２４のアミノ酸配列を含む軽鎖；及び配列番号１３８のアミノ酸配列を含む重鎖。
【請求項７】
抗ＩＬ−３６Ｒ抗体が、静脈内負荷用量、それに続く１回以上の皮下注射により投与される、請求項１〜６のいずれか一項記載の医薬組成物。
【手続補正書】
【提出日】令和3年3月24日(2021.3.24)
【手続補正１】
【補正対象書類名】特許請求の範囲
【補正対象項目名】全文
【補正方法】変更
【補正の内容】
【特許請求の範囲】
【請求項１】
式Ｉのカチオン
【化１】
2020512356.tif 000001
［式中、
Ｒ１は、Ｃ１〜４アルキルであり、
Ｒ２、Ｒ４、及びＲ５は、Ｈ、Ｃ１〜４アルキル、ハロゲン置換Ｃ１〜４アルキル、ＮＲ９Ｒ１０、及びＣＮからなる群から独立に選択され、
Ｒ３は、Ｈ、ハロゲン置換Ｃ１〜４アルキル、ＮＲ９Ｒ１０、及びＣＮからなる群から選択され、
Ｒ６は、Ｈ又はハロゲンであり、
Ｒ７は、Ｈ、メチル、又はＮＲ１１Ｒ１２であり、
Ｒ８は、Ｈ、Ｃ１〜４アルキル、又はハロゲン置換Ｃ１〜４アルキルであり、
Ｒ９、Ｒ１０、Ｒ１１、及びＲ１２は、Ｈ及びＣ１〜４アルキルから独立に選択され、
前記カチオンは、Ｒ２〜Ｒ８の位置に少なくとも２つの非水素置換基を有しており、
Ｒ２〜Ｒ８の位置にある前記非水素置換基の少なくとも１つは、ＮＨ２である］。
【請求項２】
Ｒ１がメチル又はエチルである、請求項１に記載のカチオン。
【請求項３】
Ｒ１がメチルである、請求項１又は２に記載のカチオン。
【請求項４】
Ｒ２及びＲ３の少なくとも一方がＮＨ２である、請求項１〜３のいずれかに記載のカチオン。
【請求項５】
Ｒ５がＮＨ２である、請求項１〜４のいずれかに記載のカチオン。
【請求項６】
Ｒ２、Ｒ３、及びＲ４が水素である、請求項１〜５のいずれかに記載のカチオン。
【請求項７】
Ｒ６がハロゲンである、請求項１〜６のいずれかに記載のカチオン。
【請求項８】
Ｒ６がＦである、請求項１〜７のいずれかに記載のカチオン。
【請求項９】
Ｒ７がＮＨ２である、請求項１〜８のいずれかに記載のカチオン。
【請求項１０】
Ｒ８がメチル又はＣＦ３である、請求項１〜９のいずれかに記載のカチオン。
【請求項１１】
Ｒ８がメチルである、請求項１〜１０のいずれかに記載のカチオン。
【請求項１２】
式ＩＡのカチオン
【化２】
2020512356.tif 000002
［式中、
前記カチオンは、Ｒ５、Ｒ６、Ｒ７、及びＲ８の位置のいずれかにおいて、２つ以上の非水素置換基を含み、
Ｒ５は、Ｈ又はＮＨ２であり、
Ｒ６は、Ｈ又はＦであり、
Ｒ７は、Ｈ又はＮＨ２であり、
Ｒ８は、Ｈ又はメチルである］。
【請求項１３】
前記Ｃ１〜４アルキルがメチル又はエチルである、請求項１２に記載のカチオン。
【請求項１４】
Ｒ６がＦである、請求項１２又は１３に記載のカチオン。
【請求項１５】
前記カチオンが、
【化３】
2020512356.tif 000003
から選択される、請求項１に記載のカチオン。
【請求項１６】
式Ｉのカチオン
【化４】
2020512356.tif 000004
を投与することを含む、対象に筋肉治療を施す方法
［式中、
Ｒ１は、Ｃ１〜４アルキルであり、
Ｒ２、Ｒ４、及びＲ５は、Ｈ、Ｃ１〜４アルキル、ハロゲン置換Ｃ１〜４アルキル、ＮＲ９Ｒ１０、及びＣＮからなる群から独立に選択され、
Ｒ３は、Ｈ、ハロゲン置換Ｃ１〜４アルキル、ＮＲ９Ｒ１０、及びＣＮからなる群から独立に選択され、
Ｒ６は、Ｈ又はハロゲンであり、
Ｒ７は、Ｈ、メチル、又はＮＲ１１Ｒ１２であり、
Ｒ８は、Ｈ、Ｃ１〜４アルキル、又はハロゲン置換Ｃ１〜４アルキルであり、
Ｒ９、Ｒ１０、Ｒ１１、及びＲ１２は、Ｈ及びＣ１〜４アルキルから独立に選択され、
前記カチオンは、Ｒ２〜Ｒ８の位置に少なくとも２つの非水素置換基を有しており、
Ｒ２〜Ｒ８の位置にある前記非水素置換基の少なくとも１つは、ＮＨ２である］。
【請求項１７】
前記カチオンが、
【化５】
2020512356.tif 000005
から選択される、請求項１６に記載の方法。
【請求項１８】
【化６】
2020512356.tif 000006
から選択されるカチオン（式中、Ｒ６は、Ｈ又はＦであり、Ｒ８は、Ｈ又はメチルである。）。
【請求項１９】
【化７】
2020512356.tif 000007
から選択される１種以上の化合物を投与することを含む、対象に筋肉治療を施す方法（式中、Ｒ６は、Ｈ又はＦであり、Ｒ８は、Ｈ又はメチルである。）。
【手続補正２】
【補正対象書類名】明細書
【補正対象項目名】００４１
【補正方法】変更
【補正の内容】
【００４１】
「アミノ」基とは、−ＮＨ２基を示す。
【手続補正書】
【提出日】令和3年4月20日(2021.4.20)
【手続補正１】
【補正対象書類名】特許請求の範囲
【補正対象項目名】全文
【補正方法】変更
【補正の内容】
【特許請求の範囲】
【請求項１】
遊離塩基、共結晶もしくは塩形態の１−(４−フルオロ−フェニル)−４−((６ｂＲ,１０ａＳ)−３−メチル−２,３,６ｂ,９,１０,１０ａ−ヘキサヒドロ−１Ｈ,７Ｈ−ピリド[３’,４’：４,５]ピロロ[１,２,３−ｄｅ]キノキサリン−８−イル)−ブタン−１−オン(式Ｉの化合物)を含むまたは遊離塩基、共結晶もしくは塩形態の１−(４−フルオロ−フェニル)−４−((６ｂＲ,１０ａＳ)−２,２−ｄ２−３−メチル−２,３,６ｂ,９,１０,１０ａ−ヘキサヒドロ−１Ｈ,７Ｈ−ピリド[３’,４’：４,５]ピロロ[１,２,３−ｄｅ]キノキサリン−８−イル)−ブタン−１−オン(式IIの化合物)を含むまたは遊離塩基、共結晶もしくは塩形態の１−(４−フルオロ−フェニル)−４−((６ｂＲ,１０ａＳ)−１,１,２,２−ｄ４−３−メチル−２,３,６ｂ,９,１０,１０ａ−ヘキサヒドロ−１Ｈ,７Ｈ−ピリド[３’,４’：４,５]ピロロ[１,２,３−ｄｅ]キノキサリン−８−イル)−ブタン−１−オン(式IIIの化合物)を含む、経粘膜医薬製剤であって、前記製剤が、速溶性錠剤またはウェーハ剤、舌下錠剤またはウェーハ剤、速溶性フィルム剤、舌下フィルム剤または頬側フィルム剤、経口ゲル剤、または速溶性舌下もしくは頬側ゲル剤である、経粘膜医薬製剤。
【請求項２】
製剤が遊離塩基形態の式Ｉの化合物または式IIの化合物または式IIIの化合物を含む、請求項１に記載の製剤。
【請求項３】
製剤が塩形態の式Ｉの化合物または式IIの化合物または式IIIの化合物を含む、請求項１に記載の製剤。
【請求項４】
塩形態がトシル酸塩である、請求項３に記載の製剤。
【請求項５】
製剤が０.０１〜１０mgの式Ｉの化合物(遊離塩基当量)または式IIの化合物(遊離塩基当量)または式IIIの化合物(遊離塩基当量)を含む、請求項１に記載の製剤。
【請求項６】
１以上の親水性水可溶性または水膨潤性ポリマーをさらに含む、請求項１に記載の製剤。
【請求項７】
ポリマーが天然または修飾セルロースポリマー、エチレンオキシドおよび／またはプロピレンオキシドのポリマー、アクリル酸モノマーを含むポリマー、天然または修飾ゴム、天然または修飾デンプンまたはこれらの任意の混合物からなる群から選択される、請求項６に記載の製剤。
【請求項８】
可塑剤、界面活性剤、乾燥剤、香味剤、甘味剤、結合剤、崩壊剤、湿潤剤(humectants)、湿潤剤、抗酸化剤、緩衝剤および濃化剤からなる群から選択される１以上の添加物をさらに含む、請求項１に記載の製剤。
【請求項９】
製剤が速溶性錠剤またはウェーハ剤、または舌下錠剤またはウェーハ剤である、請求項１に記載の製剤。
【請求項１０】
製剤が経口スプレー剤、または舌下スプレー剤または頬側スプレー剤である、請求項１に記載の製剤。
【請求項１１】
製剤が速溶性フィルム剤、または舌下フィルム剤または頬側フィルム剤である、請求項１に記載の製剤。
【請求項１２】
フィルム剤が均一または実質的に均一な厚さを有する、請求項１１に記載の製剤。
【請求項１３】
式Ｉの化合物または式IIの化合物または式IIIの化合物が、フィルム剤全体に渡って均一にまたは実質的に均一に分散されている、請求項１１に記載の製剤。
【請求項１４】
製剤が鼻腔内スプレー剤である、請求項１に記載の製剤。
【請求項１５】
製剤が経口ゲル剤、または速溶性舌下または頬側ゲル剤である、請求項１に記載の製剤。
【請求項１６】
製剤が膣内製剤、または膣内速溶性錠剤、ウェーハ剤またはゲル剤または膣内スプレー剤または膣内速溶性フィルム剤である、請求項１に記載の製剤。
【請求項１７】
式Ｉの化合物または式IIの化合物または式IIIの化合物が微粒子として製剤に取り込まれている、請求項１に記載の製剤。
【請求項１８】
式Ｉの化合物または式IIの化合物または式IIIの化合物がナノ粒子として製剤に取り込まれている、請求項１に記載の製剤。
【請求項１９】
製剤が投与後３０秒以内に粘膜または溶解により吸収される、請求項１に記載の製剤。
【請求項２０】
遊離塩基、共結晶もしくは塩形態の１−(４−フルオロ−フェニル)−４−((６ｂＲ,１０ａＳ)−３−メチル−２,３,６ｂ,９,１０,１０ａ−ヘキサヒドロ−１Ｈ,７Ｈ−ピリド[３’,４’：４,５]ピロロ[１,２,３−ｄｅ]キノキサリン−８−イル)−ブタン−１−オン(式Ｉの化合物)を含むまたは遊離塩基、共結晶もしくは塩形態の１−(４−フルオロ−フェニル)−４−((６ｂＲ,１０ａＳ)−２,２−ｄ２−３−メチル−２,３,６ｂ,９,１０,１０ａ−ヘキサヒドロ−１Ｈ,７Ｈ−ピリド[３’,４’：４,５]ピロロ[１,２,３−ｄｅ]キノキサリン−８−イル)−ブタン−１−オン(式IIの化合物)を含むまたは遊離塩基、共結晶もしくは塩形態の１−(４−フルオロ−フェニル)−４−((６ｂＲ,１０ａＳ)−１,１,２,２−ｄ４−３−メチル−２,３,６ｂ,９,１０,１０ａ−ヘキサヒドロ−１Ｈ,７Ｈ−ピリド[３’,４’：４,５]ピロロ[１,２,３−ｄｅ]キノキサリン−８−イル)−ブタン−１−オン(式IIIの化合物)を含む、皮下医薬製剤。
【請求項２１】
製剤がトシル酸塩形態の式Ｉの化合物を含む、請求項１に記載の製剤。
【請求項２２】
製剤がトシル酸塩形態の式Ｉの化合物を含む、請求項９に記載の製剤。
【請求項２３】
製剤がトシル酸塩形態の式Ｉの化合物を含む、請求項１１に記載の製剤。
【請求項２４】
製剤がトシル酸塩形態の式Ｉの化合物を含む、請求項２０に記載の製剤。
【手続補正書】
【提出日】令和3年3月16日(2021.3.16)
【手続補正１】
【補正対象書類名】特許請求の範囲
【補正対象項目名】全文
【補正方法】変更
【補正の内容】
【特許請求の範囲】
【請求項１】
増殖した免疫細胞の集団の生成方法であって、
免疫細胞の開始集団を複数の粒子と接触させる工程を含み、
前記粒子は、ヒドロゲル及び結合部分を含む複合体を含む粒子であって：
(a)前記ヒドロゲルは、アルギン酸-ポリエチレングリコール（PEG）コポリマーを含み
、及び
(b)前記結合部分は、免疫細胞の細胞表面成分に結合するように構成されており；
前記接触は、免疫細胞の開始集団に代謝変化を誘発するように行われ、それにより増殖した免疫細胞の集団を生成する、方法。
【請求項２】
前記粒子は、前記ポリマー環境中のカチオン濃度の十分な減少に応じて、固体マトリックスから溶液又は懸濁液に変化し、
前記カチオンは、Li+、Mg2+、Ca2+、Sr2+、Ba2+、Zn2+、Cu2+、又はAl3+である、
請求項１に記載の方法。
【請求項３】
前記粒子は、免疫細胞の集団を含む培養物に1:20〜20：1の粒子対細胞比で投与される、請求項１又は２に記載の方法。
【請求項４】
前記増殖した免疫細胞の集団は、開始集団と比較して100倍超の数の免疫細胞を含む、請求項１〜３のいずれか１項に記載の方法。
【請求項５】
前記増殖した免疫細胞の集団は、活性化免疫細胞を含む、請求項１〜４のいずれか１項に記載の方法。
【請求項６】
前記細胞表面成分は、CD2、CD3、CD19、CD24、CD27、CD28、CD31、CD34、CD45、CD46、CD80、CD86、CD133、CD134、CD135、CD137、CD160、CD335、CD337、CD40L、ICOS、GITR、HVEM、ガルテクチン9（Galtectin 9）、TIM-1、LFA-1、PD-L1、PD-L2、B7-H3、B7-H4、ILT3、ILT4、CDTL-4、PD-1、BTLA、MHC-I、MHC-II、DLL-Fc、DLL-1、又はDLL-4である、請求項１〜５のいずれか１項に記載の方法。
【請求項７】
前記結合部分は、サイトカイン、又は抗体若しくはその抗原結合断片である、請求項１〜６のいずれか１項に記載の方法。
【請求項８】
前記結合部分は、IL-1、IL-2、IL-3、IL-6、IL-7、IL-12、IL-15、IL-18、IL-21、TNF-α、及びIFN-γより選択されるサイトカインである、請求項７に記載の方法。
【請求項９】
前記結合部分は、モノクローナル抗体又はその抗原結合断片、Fab、ヒト化抗体又はその抗原結合断片、二重特異性抗体又はその抗原結合断片、一価抗体又はその抗原結合断片、キメラ抗体又はその抗原結合断片、単鎖Fv分子、二重特異性単鎖Fv((scFv')2)分子、ドメイン抗体、ダイアボディ、トライアボディ、アフィボディ、ドメイン抗体、SMIP、ナノボディ、Fvフラグメント、Fabフラグメント、F(ab')2分子、又はタンデムscFv(taFv)フラグメントより選択される、抗体又はその抗原結合断片である、請求項７に記載の方法。
【請求項１０】
前記結合部分は、抗CD2、抗CD3、抗CD19、抗CD24、抗CD27、抗CD28、抗CD31、抗CD34、抗CD45、抗CD46、抗CD80、抗CD86、抗CD133、抗CD134、抗CD135、抗CD137、抗CD160、抗CD335、抗CD337、抗CD40L、抗ICOS、抗GITR、抗HVEM、抗ガルテクチン9、抗TIM-1、抗LFA-1、抗PD-L1、抗PD-L2、抗B7-H3、抗B7-H4、抗ILT3、抗ILT4、抗CDTL-4、抗PD-1、抗BTLA、抗MHC-I、抗MHC-II、抗DLL-Fc、抗DLL-1、及び抗DLL-4より選択される、抗体又はその抗原結合断片である、請求項７に記載の方法。
【請求項１１】
前記結合部分は、ケモカイン（C-X-Cモチーフ）リガンド12又は低密度リポ蛋白質である、請求項１〜１０のいずれか１項に記載の方法。
【請求項１２】
前記免疫細胞が制御性T細胞、NK細胞、NKT細胞、CIK細胞、TIL細胞、HS細胞（未分化及び分化）、MS細胞（未分化及び分化）、iPS細胞（未分化及び分化）、及びES細胞（未分化及び分化）からなる群より選択される、請求項１〜１１のいずれか１項に記載の方法。
【請求項１３】
前記ポリマー環境中のカチオン濃度の減少が、EDTA、EGTA、クエン酸ナトリウム、BAPTA、クラウンエーテル、クリプタンド、フェナントロリンスルホネート、ジピリジルスルホネート、ジオキサン、DME、ジグリム、又はトリグリムの存在によって生じる、請求項２〜１２のいずれか１項に記載の方法。
【請求項１４】
前記結合部分は、前記ヒドロゲルに共有結合している、請求項１〜１３のいずれか１項に記載の方法。
【請求項１５】
前記結合部分は、シグナル1刺激物を含む、請求項１〜１４のいずれか１項に記載の方法。
【請求項１６】
前記結合部分は、シグナル2刺激物をさらに含む、請求項１５に記載の方法。
【請求項１７】
前記アルギン酸-PEGコポリマーは、4アームPEG分子を含む、請求項１〜１６のいずれか１項に記載の方法。
【請求項１８】
前記免疫細胞は、T細胞であり、
前記方法は、増殖したT細胞の集団を生成する、請求項１〜１７のいずれか１項に記載の方法。
【請求項１９】
前記増殖したT細胞の集団は、開始集団よりも多い数又は割合のCD8+ T細胞を含み、及び/又は
前記増殖したT細胞の集団は、開始集団よりも少ない数又は割合のCD4+ T細胞を含み、及び/又は
前記増殖したT細胞の集団は、開始集団よりも大きいCD8対CD4 T細胞比を含む、請求項１８に記載の方法。
【請求項２０】
前記増殖したT細胞の集団は、活性化T細胞を含む、請求項１８又は１９に記載の方法。
【手続補正書】
【提出日】令和3年3月4日(2021.3.4)
【手続補正１】
【補正対象書類名】特許請求の範囲
【補正対象項目名】全文
【補正方法】変更
【補正の内容】
【特許請求の範囲】
【請求項１】
車両用の表示システムであって、
車両の座席の背もたれ内に設けられる座席表示ユニットと、
前記座席表示ユニットと通信可能に結合された表示画面であり、前記座席が倒されたときに前記表示画面が、前記背もたれに対する固定された角度を維持して前記背もたれに対して傾かない又は移動しないように、前記表示画面は前記背もたれに取り付けられる、表示画面と、を備え、
前記表示ユニットは、前記表示画面にコンテンツを投影又は提示するように構成され、
前記座席表示ユニットが、前記座席が倒されたときに、（ｉ）自動的に傾き、（ｉｉ）前記座席に対してその位置を変化させるように構成されるように、前記座席表示ユニットが前記座席内に装着される、表示システム。
【請求項２】
前記表示画面は、前記座席表示ユニットを取り外すことなく前記表示画面が前記背もたれから取り外されるように、前記座席表示ユニットから分離可能であり、かつ、前記背もたれに着脱可能に取り付けられる、請求項１に記載の表示システム。
【請求項３】
前記表示画面は、前記背もたれの第１端から前記背もたれの第２端まで延在するサイズを有する、請求項１に記載の表示画面。
【請求項４】
前記座席表示ユニットは、前記座席表示ユニットの下部に旋回点を備え、前記旋回点において、前記座席表示ユニットは、前記背もたれが倒されたときに、前記座席表示ユニットの上部が回転する一方で前記座席表示ユニットの前記下部が前記旋回点に留まるように、前記背もたれ又は前記背もたれ内のフレームに結合される、請求項１に記載の表示画面。
【請求項５】
前記表示画面は、第１留め具セットを介して前記背もたれに結合され、前記座席表示ユニットは、前記第１セットとは異なる第２留め具セットを介して、前記背もたれ又は前記背もたれ内のフレームに結合される、請求項１に記載の表示画面。
【請求項６】
車両に搭載される表示システムであって、
複数の座席表示ユニットであり、その各々は、背もたれを有する座席内に設けられ、前記複数の座席表示ユニットの各々は、前記座席表示ユニットが設けられる前記座席の前記背もたれに取り付けられた表示画面に結合される、複数の座席表示ユニットを備え、
各前記表示画面は、前記表示画面が装着される前記背もたれに対して所定の位置に固定され、かつ、前記座席が倒されたときに前記背もたれに対する固定された位置及び角度を維持し、
前記座席表示ユニットの各々は、前記座席が倒されたときに、前記座席表示ユニットが設けられる前記座席内で自動的に傾くように構成される、表示システム。
【請求項７】
各表示画面は、前記背もたれからの前記座席表示ユニットの取り外しを必要とすることなく、前記表示画面が前記背もたれから取り外されるように、前記座席表示ユニットから分離可能であり、かつ、前記背もたれに着脱可能に取り付けられる、請求項６に記載の表示システム。
【請求項８】
各前記表示画面は、それが取り付けられた前記背もたれの第１端から前記背もたれの反対の第２端まで延在するサイズを有する、請求項６に記載の表示画面。
【請求項９】
各前記座席表示ユニットは、前記座席表示ユニットの下部に旋回点を備え、前記旋回点において、前記座席表示ユニットは、前記背もたれが倒されたときに、前記座席表示ユニットの上部が回転する一方で前記座席表示ユニットの前記下部が前記旋回点に留まるように、前記背もたれ又は前記背もたれ内のフレームに結合される、請求項６に記載の表示画面。
【請求項１０】
前記表示画面は、第１留め具セットを介して前記背もたれに結合され、前記座席表示ユニットは、前記第１セットとは異なる第２留め具セットを介して、前記背もたれ又は前記背もたれ内のフレームに結合される、請求項６に記載の表示画面。
【手続補正書】
【提出日】令和2年12月18日(2020.12.18)
【手続補正１】
【補正対象書類名】特許請求の範囲
【補正対象項目名】全文
【補正方法】変更
【補正の内容】
【特許請求の範囲】
【請求項１】
以下を含むタンパク質：
PD-1の細胞外ドメイン；
4-1BBトランスメンブレンドメイン、CD28トランスメンブレンドメイン、CD27トランスメンブレンドメイン、およびICOSトランスメンブレンドメインから成る群から選択されるトランスメンブレンドメイン；並びに
4-1BB細胞内シグナリングドメイン、CD28細胞内シグナリングドメイン、CD27細胞内シグナリングドメイン、およびICOS細胞内シグナリングドメイン、並びにそれらの任意の組合せから成る群から選択される細胞内シグナリングドメイン。
【請求項２】
トランスメンブレンドメインが4-1BBトランスメンブレンドメインである、請求項1に記載のタンパク質。
【請求項３】
細胞内シグナリングドメインが、4-1BB細胞内シグナリングドメイン、CD28細胞内シグナリングドメイン、CD27細胞内シグナリングドメイン、およびICOS細胞内シグナリングドメインから成る群から選択される、請求項2に記載のタンパク質。
【請求項４】
細胞内シグナリングドメインが、4-1BBの細胞内ドメイン、並びに、CD28細胞内シグナリングドメイン、CD27細胞内シグナリングドメインおよびICOS細胞内シグナリングドメインから成る群から選択される細胞内ドメイン、である、請求項2に記載のタンパク質。
【請求項５】
トランスメンブレンドメインがCD28トランスメンブレンドメインである、請求項1に記載のタンパク質。
【請求項６】
細胞内シグナリングドメインが、4-1BBトランスメンブレンドメイン、CD28トランスメンブレンドメイン、CD27トランスメンブレンドメイン、およびICOSトランスメンブレンドメインから成る群から選択される、請求項5に記載のタンパク質。
【請求項７】
細胞内シグナリングドメインが、4-1BBの細胞内ドメイン並びにCD28細胞内シグナリングドメイン、CD27細胞内シグナリングドメイン、およびICOS細胞内シグナリングドメインから成る群から選択される細胞内ドメインである、請求項5に記載のタンパク質。
【請求項８】
トランスメンブレンドメインがCD27トランスメンブレンドメインである、請求項1に記載のタンパク質。
【請求項９】
細胞内シグナリングドメインが、4-1BB細胞内シグナリングドメイン、CD28細胞内シグナリングドメイン、CD27細胞内シグナリングドメイン、およびICOS細胞内シグナリングドメインから成る群から選択される、請求項8に記載のタンパク質。
【請求項１０】
細胞内シグナリングドメインが、4-1BBの細胞内ドメイン、並びに、CD28細胞内シグナリングドメイン、CD27細胞内シグナリングドメインおよびICOS細胞内シグナリングドメインから成る群から選択される細胞内ドメイン、である、請求項8に記載のタンパク質。
【請求項１１】
トランスメンブレンドメインがICOSトランスメンブレンドメインである、請求項1に記載のタンパク質。
【請求項１２】
細胞内シグナリングドメインが、4-1BB細胞内シグナリングドメイン、CD28細胞内シグナリングドメイン、CD27細胞内シグナリングドメイン、およびICOS細胞内シグナリングドメインから成る群から選択される、請求項11に記載のタンパク質。
【請求項１３】
細胞内シグナリングドメインが、4-1BBの細胞内ドメイン、並びに、CD28細胞内シグナリングドメイン、CD27細胞内シグナリングドメインおよびICOS細胞内シグナリングドメインから成る群から選択される細胞内ドメインである、請求項11に記載のタンパク質。
【請求項１４】
配列番号:21、23、25、27、29または31の配列を含む、請求項1に記載のタンパク質。
【請求項１５】
リーダー配列を含む、請求項1−14のいずれか1項に記載のタンパク質。
【請求項１６】
CD8リーダー配列を含む、請求項15に記載のタンパク質。
【請求項１７】
CD8リーダー配列が配列番号:1を含む、請求項16に記載のタンパク質。
【請求項１８】
請求項1から17のいずれか1項に記載のタンパク質をコードする核酸分子。
【請求項１９】
配列番号:22、24、26、28、30または32の配列を含む、核酸分子。
【請求項２０】
さらに配列番号:2によってコードされるリーダー配列を含む、請求項19に記載の核酸分子。
【請求項２１】
請求項19または20に記載の核酸分子を含む、組換え細胞。
【請求項２２】
請求項18に記載の核酸分子を含む、組換え細胞。
【請求項２３】
請求項1−17のいずれか1項に記載のタンパク質を含む、組換え細胞。
【請求項２４】
リンパ球またはT細胞である、請求項21または22に記載の細胞。
【請求項２５】
腫瘍浸潤リンパ球（“TIL”）である、請求項21または22に記載の細胞。
【請求項２６】
髄浸潤リンパ球（“MIL”）である、請求項21または22に記載の細胞。
【請求項２７】
MILが低酸素MILである、請求項26に記載の細胞。
【請求項２８】
請求項1−17のいずれか1項に記載のタンパク質をコードする核酸分子をin vitroで細胞にトランスフェクトまたは感染させる工程を含む、組換え細胞を作製する方法。
【請求項２９】
細胞がMILである、請求項28に記載の方法。
【請求項３０】
タンパク質をコードする核酸分子をMILにトランスフェクトまたは感染させる前に、低酸素条件下で当該細胞をインキュベートする工程を更に含む、請求項28または29に記載の方法。
【請求項３１】
低酸素条件が約0.5％から約5％の酸素ガスを含む、請求項30に記載の方法。
【請求項３２】
低酸素条件が約1％から約2％の酸素ガスを含む、請求項30に記載の方法。
【請求項３３】
低酸素インキュベーション後に正常酸素条件下で細胞をインキュベートする工程を更に含む、請求項30−32のいずれか1項に記載の方法。
【請求項３４】
細胞を抗CD3/抗CD28ビーズに接触させる工程を更に含む、請求項28−33のいずれか1項に記載の方法。
【請求項３５】
請求項21−27のいずれか1項に記載の組換え細胞を含む、免疫応答を対象動物において増強するための医薬組成物。
【請求項３６】
対象動物が新生物を有する、請求項35に記載の医薬組成物。
【請求項３７】
新生物が白血病、リンパ腫、または多発性骨髄腫である、請求項35に記載の医薬組成物。
【請求項３８】
対象動物が人間である、請求項35に記載の医薬組成物。
【請求項３９】
請求項21−27のいずれか1項に記載の組換え細胞を含む、対象動物において新生物を治療するための医薬組成物。
【請求項４０】
対象動物が新生物を有する、請求項39に記載の医薬組成物。
【請求項４１】
新生物が多発性骨髄腫、白血病またはリンパ腫である、請求項40に記載の方法。
【請求項４２】
対象動物が人間である、請求項39に記載の方法。
【手続補正書】
【提出日】令和2年12月8日(2020.12.8)
【手続補正１】
【補正対象書類名】特許請求の範囲
【補正対象項目名】全文
【補正方法】変更
【補正の内容】
【特許請求の範囲】
【請求項１】
ｈＢＤ２（配列番号２）、ＨＤ５（配列番号５）、ＨＤ６（配列番号６）、ｈＢＤ１（配列番号１）、ｈＢＤ３（配列番号３）、ｈＢＤ４（配列番号４）、切断型ｈＢＤ２（配列番号７）からなる群、またはそれらと５個未満のアミノ酸が異なる機能的に同等な変異体から選択される、少なくとも１種類のディフェンシンの経口投与または肺内投与により、対象において、喘息、気管支拡張症、慢性閉塞性肺障害（ＣＯＰＤ）、および肺気腫から選択される疾患の処置および／または予防において使用するための、医薬組成物。
【請求項２】
前記ディフェンシンは、ｈＢＤ２（配列番号２）、ｈＢＤ１（配列番号１）、ｈＢＤ３（配列番号３）、ｈＢＤ４（配列番号４）、および切断型ｈＢＤ２（配列番号７）からなる群、またはそれらと５個未満のアミノ酸が異なる機能的に同等な変異体から選択される、請求項１に記載の組成物。
【請求項３】
前記ディフェンシンは、ｈＢＤ２（配列番号２）またはｈＢＤ２（配列番号２）と５個未満のアミノ酸が異なる機能的に同等な変異体である、請求項１に記載の組成物。
【請求項４】
前記疾患が喘息であって、かつ軽度間欠型喘息、軽度持続型喘息、中等度持続型喘息、重度持続型喘息、好酸球性喘息、好中球性喘息、ステロイド治療抵抗性喘息、喘息持続状態からなる群から選択され、好ましくはステロイド治療抵抗性喘息である、請求項１〜３のいずれか１項に記載の組成物。
【請求項５】
前記処置および／または予防は、下記の一つ以上：
ａ．肺の組織炎症、気管支肺胞洗浄液中の炎症性細胞数を低減すること、肺組織ホモジェネート中の炎症性サイトカイン産生の正常化およびサイトカインストームの防止／処置によって免疫系のバランスを回復させること、
ｂ．その必要がある対象において肺コンプライアンスを増加させること、気道過敏性を低下させること、および／またはピークフローを増加させること、
ｃ．肺微生物叢のおよび／または肺微生物叢からの、遺伝子の豊富さ、門の数を増加させること、酪酸塩産生および／またはトリプトファン産生を増加させること、酢酸塩産生を減少させること、
ｄ．肺中の正常微生物叢を維持することおよび／または安定化すること、および
ｅ．１秒間努力呼気肺活量（ＦＥＶ１）および／または最大呼気速度（ＰＥＦＲ）を増加させること、またはＰＥＦＲ変動を減少させること、を含む、請求項１〜４のいずれか一項に記載の組成物。
【請求項６】
前記組成物が、２種類のディフェンシンなど、３種類のディフェンシンなどの、２種類以上のディフェンシンを含む、請求項１〜５のいずれか一項に記載の組成物。
【請求項７】
前記２種類のディフェンシンが、ｈＢＤ２およびＨＤ５である、請求項６に記載の組成物。
【請求項８】
前記ディフェンシンが、細胞貫通ペプチド（ＣＰＰ）、アルブミン結合部分（ＡＢＭ）、検出可能部分（Ｚ）、および半減期延長ペプチドからなる群から選択される少なくとも１つの追加部分、好ましくは、新生児Ｆｃ受容体（ＦｃＲｎ）、トランスフェリン、アルブミン（ＨＡＳ）、ＸＴＥＮまたはＰＥＧ、ホモアミノ酸ポリマー（ＨＡＰ）、プロリン−アラニン−セリンポリマー（ＰＡＳ）、またはエラスチン様ペプチド（ＥＬＰ）、ヒアルロン酸、絨毛ゴナドトロピン（ＣＧ）β鎖のカルボキシ端ペプチド（ＣＴＰ）などの負に荷電した高度にアシル化されたペプチド、ヒトＩｇＧ、およびＣＨ３（ＣＨ２）ｎＣＯ−（ここでｎは８〜２２である）に結合できる分子からなる群から選択される追加部分などの半減期延長ペプチドを更に含む、請求項１〜７のいずれか一項に記載の組成物。
【請求項９】
治療される前記対象は、下記の一つ以上：
ａ．日常症状など、持続性症状などの、１週間につき＞２回の喘息症状、
ｂ．活動に影響を及ぼす発作など、身体活動を制限する発作などの、異なる強度の喘息発作、
ｃ．数日間持続する１週間あたり＞２回の症状など、頻繁な夜間症状などの、１ヵ月につき＞２回の夜間喘息症状、
ｄ．６０〜８０％のＦＥＶ１など、＜６０％のＦＥＶ１などの、＜８０％の１秒間努力呼気肺活量（ＦＥＶ１）、および
ｅ．２０〜３０％のＰＥＦＲ変動など、＞３０％のＰＥＦＲ変動など、＞６０％のＰＥＦＲ変動などの、＞２０％の変動がある最大呼気速度（ＰＥＦＲ）、
を呈する、請求項１〜８のいずれか一項に記載の組成物。
【請求項１０】
前記ディフェンシンが、糖質コルチコイド、β作動薬、ロイコトリエン受容体アンタゴニスト、テオフィリン、抗生物質、リファキシミン、免疫抑制薬、化学療法もしくは免疫療法、プレバイオティクス、プロバイオティクス、トリプトファン、短鎖脂肪酸、ＨＮＰ−１、ＨＮＰ−２、ＨＮＰ−３、ＨＮＰ−４、カテリシジン、ラクトフェリン、ラクトフェリシン、リゾチーム、糞便移植またはこれらの任意の組合せとの組み合わせで投与される、請求項１〜９のいずれか一項に記載の組成物。
【請求項１１】
１日投与量が、０．５〜５ｍｇディフェンシン／ｋｇなど、１日あたり１〜２ｍｇディフェンシン／ｋｇなど、１日あたり１．２ｍｇディフェンシン／ｋｇなどの、０．１〜１０ｍｇディフェンシン／ｋｇである、請求項１〜１０のいずれか一項に記載の組成物。
【請求項１２】
前記ディフェンシンが、少なくとも１日２回など、少なくとも１日３回など、少なくとも１日４回など、少なくとも１日５回または継続的になど、少なくとも１日１回投与される、請求項１〜１１のいずれか一項に記載の組成物。
【請求項１３】
前記投与が経口投与である、請求項１〜１２のいずれか一項に記載の組成物。
【請求項１４】
前記投与が、例えば吸入器、ネブライザー、または気化器による、気管内、気管支内、または気管支肺胞上皮投与などの肺内投与による、請求項１〜１２のいずれか一項に記載の組成物。
【手続補正書】
【提出日】令和3年1月29日(2021.1.29)
【手続補正１】
【補正対象書類名】特許請求の範囲
【補正対象項目名】全文
【補正方法】変更
【補正の内容】
【特許請求の範囲】
【請求項１】
命令を有するメモリと、
１つ又は複数のプロセッサと
を備える、装置であって、前記１つ又は複数のプロセッサは、
ユーザが車両内環境に存在するという指示を受信することと、
（ｉ）前記ユーザに対応する１つ又は複数の生理学的入力パラメータと、（ｉｉ）１つ又は複数の車両内環境パラメータとの組み合わせを含む入力パラメータをセンサから受信することと、
前記１つ又は複数の車両内環境パラメータを評価して、前記生理学的入力パラメータの１つ、又は任意の組み合わせが、低血糖に基づくか、又は、車両内の内部環境条件に基づくかを検証することと、
前記検証の結果に基づいて、低血糖事象の始まりの可能性を決定することと、
前記決定に基づいて警告又はデバイス起動をトリガすることと
を行うように前記命令を実行する、装置。
【請求項２】
前記１つ又は複数の入力パラメータはさらに、１つ又は複数の車両操作関連入力パラメータを含む、請求項１に記載の装置。
【請求項３】
前記１つ又は複数の生理学的入力パラメータは、血液循環の変化、血管収縮の変化、ユーザの震えの増大、心拍の増大、発汗の増大、温度低下、眼球運動の変化、皮膚コンダクタンス増大、グルコース読み値、又はインスリン摂取履歴のうちの１つ又は任意の組み合わせの指示を含む、請求項１又は２に記載の装置。
【請求項４】
前記１つ又は複数のプロセッサが、１つ又は複数の車両内環境パラメータを評価することによって、前記温度低下又は前記皮膚コンダクタンス増大のうちの１つ又は任意の組み合わせが、低血糖に基づくか、又は、前記車両内の内部環境条件に基づくかを検証するように前記命令を実行する、請求項３に記載の装置。
【請求項５】
前記１つ又は複数の車両操作関連入力パラメータが、前記車両に関する運動情報、１つ若しくは複数の他の車両に対する運動情報、又は、前記ユーザの運転挙動のうちの１つ又は任意の組み合わせを含む、請求項２に記載の装置。
【請求項６】
１つ又は複数のセンサをさらに備える、請求項１又は２に記載の装置。
【請求項７】
前記１つ又は複数のセンサが、加速度計、カメラ、又は位置特定デバイスのうちの１つ又は任意の組み合わせを含む、請求項６に記載の装置。
【請求項８】
前記１つ又は複数のプロセッサがさらに、前記ユーザが運転している間及び前記ユーザが運転する前に、前記１つ又は複数の入力パラメータを受信するように前記命令を実行する、請求項１又は２に記載の装置。
【請求項９】
前記１つ又は複数のプロセッサがさらに、前記１つ又は複数の入力パラメータと１つ又は複数のそれぞれの閾値との間の比較に基づいて、予測するように前記命令を実行する、請求項１又は２に記載の装置。
【請求項１０】
前記１つ又は複数のそれぞれの閾値が、履歴ユーザデータ又は前記ユーザの健康状態のうちの１つ又は任意の組み合わせに基づいて適応的である、請求項９に記載の装置。
【請求項１１】
前記１つ又は複数のプロセッサがさらに、前記ユーザに対する視覚、可聴、又は触覚警報のうちの１つ又は任意の組み合わせをトリガする信号を通信することによって、前記警告をトリガするように前記命令を実行する、請求項１又は２に記載の装置。
【請求項１２】
前記１つ又は複数のプロセッサがさらに、前記車両の動作の変更を行う前記車両内のデバイスを調整する信号を通信することによって、前記デバイス起動をトリガするように前記命令を実行する、請求項１又は２に記載の装置。
【請求項１３】
前記メモリ及び前記プロセッサが、ウェアラブルデバイス、モバイルデバイス、前記車両の外部に位置するデバイス、又は前記車両の内部に位置するデバイスの中に含まれる、請求項１又は２に記載の装置。
【請求項１４】
ユーザが車両内環境に存在するという指示を受信するステップと、
１つ又は複数の入力パラメータを受信するステップと、
を含む、方法であって、
前記１つ又は複数の入力パラメータは、（ｉ）前記ユーザに対応する１つ又は複数の生理学的入力パラメータと、（ｉｉ）１つ又は複数の車両内環境パラメータとの組み合わせを含み、前記方法は、
前記１つ又は複数の車両内環境パラメータを評価して、前記生理学的入力パラメータの１つ、又は任意の組み合わせが、低血糖に基づくか、又は、車両内の内部環境条件に基づくかを検証するステップと、
前記検証の結果に基づいて、低血糖事象の始まりの可能性を決定するステップと、
前記決定に基づいて警告又はデバイス起動をトリガするステップと
をさらに含む、方法。
【手続補正書】
【提出日】令和3年3月15日(2021.3.15)
【手続補正１】
【補正対象書類名】特許請求の範囲
【補正対象項目名】全文
【補正方法】変更
【補正の内容】
【特許請求の範囲】
【請求項１】
車両コンポーネントの位置を検出するためのシステムであって、
監視デバイスを備え、該監視デバイスは、
エネルギー収集器と、
前記エネルギー収集器に電気的に結合されたエネルギーストレージデバイスと、
車両コンポーネントが指定された位置にある場合に回路を閉じるとともに、前記位置および識別子を符号化するデータパケットを生成するように構成されたスイッチと、
前記デバイス内に配置され、送信機を含む受動通信チップであって、前記車両コンポーネントが前記指定された位置に配置されたときに前記スイッチから前記データパケットを受信し、前記データパケットを受信すると無線送信を生成するように構成された前記受動通信チップと
を含み、前記通信チップは、前記エネルギーストレージデバイスから電力を受け取る、システム。
【請求項２】
前記通信チップに通信可能に結合されたアンテナをさらに備える、請求項１に記載のシステム。
【請求項３】
前記エネルギーストレージデバイスは、スーパーキャパシタを含む、請求項１に記載のシステム。
【請求項４】
前記エネルギー収集器は、熱電対、アンテナ、圧電デバイス、交流発電機、および発電機からなる群から選択される、請求項１に記載のシステム。
【請求項５】
前記スイッチは、機械的スイッチ、ＲＦＩＤチップ、近接場検出器、リードスイッチ、ホール効果スイッチ、光学スイッチ、および磁気スイッチからなる群から選択される、請求項１に記載のシステム。
【請求項６】
前記車両コンポーネントは、アームレストである、請求項１に記載のシステム。
【請求項７】
前記車両コンポーネントは、リクライニング背もたれである、請求項１に記載のシステム。
【請求項８】
前記車両コンポーネントは、トレイテーブルである、請求項１に記載のシステム。
【請求項９】
前記車両コンポーネントは、窓シェードまたはカバーである、請求項１に記載のシステム。
【請求項１０】
前記車両コンポーネントは、オーバーヘッドコンパートメントドアである、請求項１に記載のシステム。
【請求項１１】
車両コンポーネントの位置を自動的に検出する方法であって、
エネルギー収集器を用いて座席アセンブリの周囲から電力を収集すること、
前記エネルギー収集器に電気的に結合されたエネルギーストレージデバイスに前記電力を保存すること、
前記エネルギー収集器に電気的に結合された監視デバイスに前記エネルギー収集器からの電力を提供すること、
車両コンポーネントが指定された位置にあるときに回路を閉じるように構成されたスイッチを提供すること、
前記スイッチと通信可能に結合された通信チップであって、前記スイッチが閉じられ、前記車両コンポーネントが前記指定された位置に配置されたときに前記エネルギー収集器からの電力を受け取る前記通信チップによって、無線送信を自動的に生成すること
を含む方法。
【請求項１２】
前記送信は、前記通信チップに通信可能に結合されたアンテナに向けられている、請求項１１に記載の方法。
【請求項１３】
前記エネルギーストレージデバイスは、スーパーキャパシタを含む、請求項１１に記載の方法。
【請求項１４】
前記エネルギー収集器は、熱電対、アンテナ、圧電デバイス、交流発電機、および発電機からなる群から選択される、請求項１１に記載の方法。
【請求項１５】
前記スイッチは、機械的スイッチ、リードスイッチ、ホール効果スイッチ、磁気スイッチ、および近接トリガスイッチからなる群から選択される、請求項１１に記載の方法。
【請求項１６】
前記車両コンポーネントは、アームレスト、リクライニング背もたれ、トレイテーブル、または窓シェードまたはカバーである、請求項１１に記載の方法。